(57)【要約】【課題】外部電源からの電力が供給されていない電源遮断時においても被検出物の脱着、開閉等を検出することができる検出装置及びそれを用いた遊技機を提供する。【解決手段】扉開閉検出スイッチ５１は、機枠の前面側に開閉可能に装着された扉に対しその開閉により可動部が機械的に動作するように設けられている。この扉開閉検出スイッチ５１は、外部電源からの電力の供給なしに、扉の開閉に基づく可動部の機械的な動作により発電して電気信号を出力する。外部端子板８０にはリレー回路８１が設けられている。このリレー回路８１は、扉開閉検出スイッチ５１から出力された電気信号を受けたとき、この電気信号に基づいて接点の開閉状態を変更して保持すると共にその開閉状態を示す接点の開閉信号を外部管理装置２００に出力する。外部管理装置２００は、リレー回路８１から出力された接点の開閉信号に基づいて扉の開放を検出すると、警報を発する。【選択図】図３
2015023961.tif 000002
【特許請求の範囲】
【請求項１】
被検出物についてその脱着、開閉を含む機械的変位を検出するための検出装置であって、
外部電源からの電力の供給なしに、前記被検出物の機械的変位に基づく可動部の機械的な動作により発電して電気信号を出力する自己発電型スイッチと、
前記自己発電型スイッチから出力された前記電気信号を受けたとき、この電気信号に基づいて接点の開閉状態を変更して保持すると共にその開閉状態を示す接点の開閉信号を出力するリレー回路と、
を具備することを特徴とする検出装置。
【請求項２】
前記自己発電型スイッチは、前記被検出物についての機械的変位のうち離脱的な変位に基づく前記可動部の動作により正負の極性のうち一方の極性の電気信号を出力し、前記被検出物についての機械的変位のうち復帰的な変位に基づく前記可動部の動作により正負の極性のうち他方の極性の電気信号を出力し、
前記リレー回路は、前記自己発電型スイッチから前記一方の極性の電気信号を受けたときに、動作して接点の開閉状態を変更して保持し、その後、前記自己発電型スイッチから前記他方の極性の電気信号を受けたときに、動作して接点の開閉状態を元の状態に戻して保持することを特徴とする請求項１記載の検出装置。
【請求項３】
前記自己発電型スイッチは、前記被検出物についての機械的変位のうち離脱的な変位に基づく前記可動部の動作により正負の極性のうち一方の極性の電気信号を出力し、前記被検出物についての機械的変位のうち復帰的な変位に基づく前記可動部の動作により正負の極性のうち他方の極性の電気信号を出力し、
前記リレー回路は二つ設けられており、
二つの前記リレー回路のうち一方は、前記自己発電型スイッチから前記一方の極性の電気信号が送られたときに動作して接点の開閉状態を変更して保持し、その後、前記自己発電型スイッチから正負いずれの極性の電気信号が送られてきてもその状態をそのまま維持し、
二つの前記リレー回路のうち他方は、前記自己発電型スイッチから前記他方の極性の電気信号が送られたときに動作して接点の開閉状態を変更して保持し、その後、前記自己発電型スイッチから正負いずれの極性の電気信号が送られてきてもその状態をそのまま維持することを特徴とする請求項１記載の検出装置。
【請求項４】
請求項１又は２記載の検出装置における前記自己発電型スイッチが、被検出物である、機枠の前面側に開閉可能に装着された扉に対しその開閉により前記可動部が機械的に動作するように設けられ、
前記検出装置における前記リレー回路が、外部に信号を送出するための外部端子板に設けられていることを特徴とする遊技機。
【請求項５】
請求項１又は２記載の検出装置における前記自己発電型スイッチが、被検出物である、遊技内容の制御を行う主制御基板又は遊技媒体の払い出しを制御する払出制御基板に対しその脱着により前記可動部が機械的に動作するように設けられ、
前記検出装置における前記リレー回路が、外部に信号を送出するための外部端子板に設けられていることを特徴とする遊技機。
【請求項６】
請求項３記載の検出装置における前記自己発電型スイッチが、被検出物である、機枠の前面側に開閉可能に装着された扉に対しその開閉により前記可動部が機械的に動作するように設けられ、
前記検出装置における二つの前記リレー回路が、遊技の演出を制御する副制御基板に設けられ、
前記副制御基板は、所定のタイミングで、二つの前記リレー回路における接点の状態を調べ、少なくとも一方の前記リレー回路が動作して接点の開閉状態が変更されていると判断したときに、扉が開放された旨の報知を行うことを特徴とする遊技機。
【請求項７】
請求項３記載の検出装置における前記自己発電型スイッチが、被検出物である、遊技内容の制御を行う主制御基板又は遊技媒体の払い出しを制御する払出制御基板に対しその脱着により前記可動部が機械的に動作するように設けられ、
前記検出装置における二つの前記リレー回路が、遊技の演出を制御する副制御基板に設けられ、
前記副制御基板は、所定のタイミングで、二つの前記リレー回路における接点の状態を調べ、少なくとも一方の前記リレー回路が動作して接点の開閉状態が変更されていると判断したときに、主制御基板又は払出制御基板が取り外された旨の報知を行うことを特徴とする遊技機。
【発明の詳細な説明】
【技術分野】
【０００１】
本発明は、電力が供給されていない状態でも、被検出物が着脱されたり、開閉されたりしたときに、その着脱や開閉を検出することができる検出装置に関するものである。
【背景技術】
【０００２】
従来、回胴式遊技機やパチンコ遊技機等の遊技機の中には、異常状態の発生の有無を検知する仕組みが備えられているものがある。例えば、各種電気部品を収容する本体部とこの本体部の前面側に開閉可能に設けられた扉との間に、扉の開閉を検出する開閉検出センサを設けた遊技機がある（例えば、特許文献１参照）。
【先行技術文献】
【特許文献】
【０００３】
【特許文献１】特開２００３−２４５０５号公報
【発明の概要】
【発明が解決しようとする課題】
【０００４】
しかしながら、上記特許文献１に記載された遊技機においては、遊技店が営業を行っていない営業時間外の期間等のように、遊技機に外部電源の電力が供給されていない電源遮断時に、扉が不正に開けられ、制御基板に不正行為が行われたとしても、これを監視する術はなくセキュリティ面で問題がある。
【０００５】
本発明は上記事情に基づいてなされたものであり、外部電源からの電力が供給されていない電源遮断時においても被検出物の脱着、開閉等を検出することができる検出装置を提供することを目的とするものである。
【０００６】
また、本発明は上記事情に基づいてなされたものであり、外部電源からの電力が供給されていない電源遮断時における不正行為のおそれを監視できるようにして、セキュリティを向上させた遊技機を提供することを目的とするものである。
【課題を解決するための手段】
【０００７】
上記の目的を達成するための第一発明は、被検出物についてその脱着、開閉を含む機械的変位を検出するための検出装置であって、外部電源からの電力の供給なしに、被検出物の機械的変位に基づく可動部の機械的な動作により発電して電気信号を出力する自己発電型スイッチと、自己発電型スイッチから出力された電気信号を受けたとき、この電気信号に基づいて接点の開閉状態を変更して保持すると共にその開閉状態を示す接点の開閉信号を出力するリレー回路と、を具備することを特徴とするものである。
【０００８】
第一発明に係る検出装置では、自己発電型スイッチが被検出物の機械的変位に基づいて可動部が機械的に動作することにより発電して電気信号を出力し、リレー回路がその出力された電気信号に基づいて接点の開閉状態を変更して保持すると共にその開閉状態を示す接点の開閉信号を出力することにより、外部電源から電力を供給することなく、被検出物の機械的変位、例えば被検出物の脱着、開閉等を検出することができる。このため、例えば、何者かが不正な手段を用いて被検出物を取り外して差し換えたとしても、これを検出することができるので、セキュリティの向上を図ることができる。
【０００９】
また、上記の目的を達成するための第二発明に係る検出装置は、第一発明に係る検出装置において、自己発電型スイッチが、被検出物についての機械的変位のうち離脱的な変位に基づく可動部の動作により正負の極性のうち一方の極性の電気信号を出力し、被検出物についての機械的変位のうち復帰的な変位に基づく可動部の動作により正負の極性のうち他方の極性の電気信号を出力し、リレー回路が、自己発電型スイッチから前記一方の極性の電気信号を受けたときに、動作して接点の開閉状態を変更して保持し、その後、前記自己発電型スイッチから前記他方の極性の電気信号を受けたときに、動作して接点の開閉状態を元の状態に戻して保持することを特徴とするものである。この第二発明に係る検出装置では、リレー回路が自己発電型スイッチから出力された電気信号の極性に応じて接点の開閉状態を変更して保持することができるので、リレー回路における接点の状態を監視すれば、例えば、被検出物が取り外されたこと、その後に被検出物が取り付けられたことを検出することができる。
【００１０】
更に、上記の目的を達成するための第三発明に係る検出装置は、第一発明に係る検出装置において、自己発電型スイッチが、被検出物についての機械的変位のうち離脱的な変位に基づく可動部の動作により正負の極性のうち一方の極性の電気信号を出力し、被検出物についての機械的変位のうち復帰的な変位に基づく可動部の動作により正負の極性のうち他方の極性の電気信号を出力し、リレー回路は二つ設けられており、二つのリレー回路のうち一方が、自己発電型スイッチから前記一方の極性の電気信号が送られたときに動作して接点の開閉状態を変更して保持し、その後、自己発電型スイッチから正負いずれの極性の電気信号が送られてきてもその状態をそのまま維持し、二つのリレー回路のうち他方は、自己発電型スイッチから前記他方の極性の電気信号が送られたときに動作して接点の開閉状態を変更して保持し、その後、自己発電型スイッチから正負いずれの極性の電気信号が送られてきてもその状態をそのまま維持することを特徴とするものである。この第三発明に係る検出装置では、二つのリレー回路のうちの一方は、自己発電型スイッチから例えば正の極性の電気信号を最初に受けたときに接点の状態を例えば開状態から閉状態に変更して保持し、二つのリレー回路のうちの他方は、自己発電型スイッチから負の極性の電気信号を最初に受けたときに接点の状態を開状態から閉状態に変更して保持することができるので、被検出物が機械的に変位すると、その変位の痕跡を二つのリレー回路における接点の状態として残しておくことができる。このため、例えば脱着可能な被検出物については、二つのリレー回路における接点の状態に基づいて、被検出物が一度も脱着されていないか、被検出物が取り外されているか、それとも被検出物が取り外された後に装着されたのかを判断することができる。
【００１１】
上記の目的を達成するための第四発明に係る遊技機は、第一発明又は第二発明に係る検出装置における自己発電型スイッチが、被検出物である、機枠の前面側に開閉可能に装着された扉に対しその開閉により可動部が機械的に動作するように設けられ、検出装置におけるリレー回路が、外部に信号を送出するための外部端子板に設けられていることを特徴とするものである。この第四発明に係る遊技機では、例えば、夜間、遊技機に外部電源からの電力が供給されていない場合、扉が開閉されると、自己発電型スイッチが電気信号を出力し、リレー回路がその出力された電気信号に基づいて接点の開閉状態を変更して保持するので、リレー回路の接点の開閉信号に基づいて、当該扉の開閉を検出することがきる。このため、例えば、外部端子板に、複数の遊技機を管理する外部管理装置を接続しておけば、外部管理装置は、この接点の開閉信号に基づいて当該遊技機における扉の開閉動作を検出したときに、例えば各種の警報を発することができる。
【００１２】
また、上記の目的を達成するための第五発明に係る遊技機は、第一発明又は第二発明に係る検出装置における自己発電型スイッチが、被検出物である、遊技内容の制御を行う主制御基板又は遊技媒体の払い出しを制御する払出制御基板に対しその脱着により可動部が機械的に動作するように設けられ、検出装置におけるリレー回路が、外部に信号を送出するための外部端子板に設けられていることを特徴とするものである。この第五発明に係る遊技機では、例えば、夜間、遊技機に外部電源からの電力が供給されていない場合、扉が開閉され、主制御基板又は払出制御基板が脱着されると、自己発電型スイッチが電気信号を出力し、リレー回路がその出力された電気信号に基づいて接点の開閉状態を変更して保持するので、リレー回路の接点の開閉信号に基づいて、当該主制御基板又は払出制御基板の脱着を検出することがきる。このため、例えば、外部端子板に、複数の遊技機を管理する外部管理装置を接続しておけば、外部管理装置は、この接点の開閉信号に基づいて当該遊技機における主制御基板又は払出制御基板の脱着を検出したときに、例えば各種の警報を発することができる。
【００１３】
上記の目的を達成するための第六発明に係る遊技機は、第三発明に係る検出装置における自己発電型スイッチが、被検出物である、機枠の前面側に開閉可能に装着された扉に対しその開閉により可動部が機械的に動作するように設けられ、検出装置における二つのリレー回路が、遊技の演出を制御する副制御基板に設けられ、副制御基板が、所定のタイミングで、二つのリレー回路における接点の状態を調べ、少なくとも一方のリレー回路が動作して接点の開閉状態が変更されていると判断したときに、扉が開放された旨の報知を行うことを特徴とするものである。この第六発明に係る遊技機では、例えば、夜間、遊技機に外部電源からの電力が供給されていない場合に、扉が開閉されると、その痕跡を二つのリレー回路における接点の状態として残しておくことができる。このため、例えば遊技機に対して外部電源からの電力の供給が開始された際に、副主制御基板は、二つのリレー回路における接点の状態を調べ、夜間に、当該遊技機における扉が開放されたと判断したときに、例えば各種の警報を発することができる。
【００１４】
また、上記の目的を達成するための第七発明に係る遊技機は、第三発明に係る検出装置における自己発電型スイッチが、被検出物である、遊技内容の制御を行う主制御基板又は遊技媒体の払い出しを制御する払出制御基板に対しその脱着により可動部が機械的に動作するように設けられ、検出装置における二つのリレー回路が、遊技の演出を制御する副制御基板に設けられ、副制御基板が、所定のタイミングで、二つのリレー回路における接点の状態を調べ、少なくとも一方のリレー回路が動作して接点の開閉状態が変更されていると判断したときに、主制御基板又は払出制御基板が取り外された旨の報知を行うことを特徴とするものである。この第七発明に係る遊技機では、例えば、夜間、遊技機に外部電源からの電力が供給されていない場合に、扉が開閉され、主制御基板又は払出制御基板が脱着されると、その痕跡を二つのリレー回路における接点の状態として残しておくことができる。このため、例えば遊技機に対して外部電源からの電力の供給が開始された際に、副主制御基板は、二つのリレー回路における接点の状態を調べ、夜間に、当該遊技機における主制御基板又は払出制御基板が取り外されたと判断したときに、例えば各種の警報を発することができる。
【発明の効果】
【００１５】
第一発明乃至第三発明に係る検出装置によれば、外部電源の電力が供給されていない電源遮断時においても被検出物の脱着、開閉等を検出することができる。また、第四発明乃至第七発明に係る遊技機によれば、外部電源の電力が供給されていない電源遮断時における不正行為のおそれを監視することができるので、セキュリティの向上を図ることができる。
【図面の簡単な説明】
【００１６】
【図１】図１は本発明の第一実施形態である遊技機の概略斜視図である。
【図２】図２はその遊技機の扉を開いた状態の概略斜視図である。
【図３】図３はその遊技機の概略ブロック図である。
【図４】図４は第一実施形態で用いている自己発電型スイッチの概略斜視図である。
【図５】図５はその自己発電型スイッチから出力される電気信号の波形を説明するための図である。
【図６】図６は第一実施形態の遊技機における外部端子板に設けられたリレー回路の概略ブロック図である。
【図７】図７は本発明の第二実施形態である遊技機の概略ブロック図である。
【図８】図８は第二実施形態の回胴式遊技機における副制御基板に設けられた第一リレー回路及び第二リレー回路の概略ブロック図である。
【発明を実施するための形態】
【００１７】
以下に、図面を参照して、本願に係る発明を実施するための最良の形態について説明する。
【００１８】
［第一実施形態］
まず、本発明の第一実施形態について図面を参照して説明する。図１は本発明の第一実施形態である遊技機の概略斜視図、図２はその遊技機の扉を開いた状態の概略斜視図、図３はその遊技機の概略ブロック図である。ここでは、遊技機が回胴式遊技機である場合について説明する。
【００１９】
第一実施形態の回胴式遊技機は、図１及び図２に示すように、機枠１と、その機枠１の前面側に開閉可能に装着された扉２とを有する。図１にはその扉２が閉じられた状態の回胴式遊技機が示され、図２にはその扉２が開けられた状態の回胴式遊技機が示されている。かかる回胴式遊技機は、図１、図２及び図３に示すように、回胴回転装置１１と、表示窓１２と、メダル投入口１３と、貯留メダル投入ボタン１４と、貯留メダル枚数表示部１５と、始動スイッチ１６と、三つの停止ボタン１７ａ，１７ｂ，１７ｃと、三つのストップ可能ランプ１８ａ，１８ｂ，１８ｃと、貯留メダル清算ボタン１９と、払出メダル枚数表示部２１と、メダル払出口２２と、メダル受け皿２３と、メダル補給用穴２４と、ホッパーバケット２５と、メダル排出装置２６と、払出制御基板２７と、スピーカ２８と、ランプ２９と、電源部３０と、扉開放検出センサ４１と、設定キースイッチ操作検出センサ４２と、投入メダル検出センサ４３と、ホッパーモータ駆動検出センサ４４と、電源ＯＮ検出センサ４５と、扉開閉検出センサ５１と、主制御基板脱着検出センサ５２と、主制御基板６０と、副制御基板７０と、外部端子板８０とを備える。
【００２０】
回胴回転装置１１には、三つの回胴１１ａ，１１ｂ，１１ｃが含まれる。これら三つの回胴１１ａ，１１ｂ，１１ｃは、図１及び図２に示すように、扉２の中央部のやや上側に並べて配設されている。各回胴１１ａ，１１ｂ，１１ｃは、複数の図柄を一列に配した図柄列を有しており、回転可能に構成されている。また、回胴回転装置１１には、各回胴１１ａ，１１ｂ，１１ｃを駆動するための、図示しない三つの回胴駆動手段が含まれている。これら回胴駆動手段の制御は、主制御基板６０により行われる。
【００２１】
表示窓１２は、回胴１１ａ，１１ｂ，１１ｃの前側に設けられた透明な窓部である。遊技者は、回胴１１ａ，１１ｂ，１１ｃの停止時に表示窓１２から各回胴１１ａ，１１ｂ，１１ｃに付された図柄を目視することができる。この表示窓１２の右側には、貯留メダル枚数表示部１５と、払出メダル枚数表示部２１とが設けられている。貯留メダル枚数表示部１５は、貯留装置（ソフト的に貯留メダル枚数を管理するもの）に現在、貯留されているメダルの枚数を表示するものであり、払出メダル枚数表示部２１は、各遊技においてその遊技の結果に応じて払い出されるメダルの払出枚数を表示するものである。これら貯留メダル枚数表示部１５及び払出メダル枚数表示部２１の制御は主制御基板６０により行われる。
【００２２】
扉２の中央部には、図１に示すように、メダル投入口１３と、貯留メダル投入ボタン１４と、始動スイッチ１６と、三つの停止ボタン１７ａ，１７ｂ，１７ｃと、貯留メダル清算ボタン１９とが設けられている。メダル投入口１３は、遊技者がメダル（遊技媒体）を投入するための投入口である。貯留メダル投入ボタン１４は、メダル投入口１３から実際にメダルを投入することに代えて、貯留装置に貯留されているメダルを使用して遊技を行う旨を指示するものである。
【００２３】
始動スイッチ１６は、遊技を開始する旨を指示するために遊技者が操作するものである。メダル投入口１３からメダルが投入されるか、又は、貯留装置にメダルが貯留されている状態で貯留メダル投入ボタン１４が押圧されることにより、始動スイッチ１６の操作が有効となる。主制御基板６０は、始動スイッチ１６の操作が有効であるときに、始動スイッチ１６が操作された旨の信号を受けると、三つの回胴１１ａ，１１ｂ，１１ｃの回転動作を開始する。
【００２４】
停止ボタン１７ａは回胴１１ａの回転動作の停止を指示するためのものであり、停止ボタン１７ｂは回胴１１ｂの回転動作の停止を指示するためのものであり、そして、停止ボタン１７ｃは回胴１１ｃの回転動作の停止を指示するためのものである。各停止ボタン１７ａ，１７ｂ，１７ｃが押されると、当該停止ボタンが押された旨の信号が主制御基板６０に送られる。そして、主制御基板６０は、停止ボタンが押された旨の信号を受けると、当該停止ボタンに対応する回胴の回転動作を停止する。
【００２５】
また、表示窓１２の下側であって各回胴１１ａ，１１ｂ，１１ｃに対応する位置にはそれぞれ、ストップ可能ランプ１８ａ，１８ｂ，１８ｃが設けられている。各ストップ可能ランプ１８ａ，１８ｂ，１８ｃは、当該回胴に対応する停止ボタンの操作が有効になったときに、当該停止ボタンの操作を遊技者に促すためのものである。これらストップ可能ランプ１８ａ，１８ｂ，１８ｃの制御は、主制御基板６０により行われる。
【００２６】
扉２の下部には、メダル払出口２２と、メダル受け皿２３とが設けられている。メダル払出口２２は、払い出されるメダルの放出口であり、メダル受け皿２３は、メダル払出口２２から払い出されるメダルを蓄積するための皿である。また、遊技者が貯留メダル清算ボタン１９を押した場合には、そのときに貯留しているメダル枚数に対応する数のメダルがメダル払出口２２から放出される。
【００２７】
また、扉２の裏面側には、図２に示すように、スピーカ２８と、ランプ２９とが設けられている。スピーカ２８は、音により遊技に関わる演出を行う演出手段である。スピーカ２８の制御は、主制御基板６０からの指令に基づいて副制御基板７０により行われる。一方、ランプ２９は、遊技状態を表示するものである。かかるランプ２９の制御は、主制御基板６０により行われる。
【００２８】
機枠１内には、図２及び図３に示すように、メダル補給用穴２４と、ホッパーバケット２５と、メダル排出装置２６と、払出制御基板２７と、電源部３０と、扉開放検出センサ４１と、設定キースイッチ操作検出センサ４２と、投入メダル検出センサ４３と、ホッパーモータ駆動検出センサ４４と、電源ＯＮ検出センサ４５と、扉開閉検出センサ５１と、主制御基板脱着検出センサ５２と、主制御基板６０と、副制御基板７０と、外部端子板８０とが設けられている。
【００２９】
メダル補給用穴２４は、外部のメダル供給装置からメダルを遊技機内に供給するためのものである。このメダル補給用穴２４を介して供給されたメダルは、ホッパーバケット２５に貯留される。メダル排出装置２６は、遊技の結果が入賞となったときに、ホッパーバケット２５に貯留されているメダルのうち所定枚数のメダル（入賞メダル）をメダル払出口２２からメダル受け皿２３に排出する装置である。具体的に、メダル排出装置２６は、所定の回転機構と、その回転機構を駆動するためのホッパーモータとを有している。ホッパーモータを駆動して回転機構を動作させると、メダルが一枚ずつメダル払出口２２から排出される。このメダル排出装置２６の動作は、主制御基板６０からの指令に基づいて払出制御基板２７によって制御される。すなわち、主制御基板６０が所定枚数のメダルを払い出す旨の払出コマンドを払出制御基板２７に送出すると、払出制御基板２７はその払出コマンドに基づいて、要求された枚数のメダルを払い出すようにメダル排出装置２６の動作を制御する。なお、本実施形態では、払出制御基板が主制御基板とは別個に設けられている場合について説明するが、払出制御基板が主制御基板と一体的に構成されており、払出制御基板の機能が主制御基板に組み込まれているものであってもよい。
【００３０】
電源部３０は、外部電源から供給される交流の電圧を直流の各種電圧に変換して、各部に電力を供給するものである。電源部３０の筐体前面には、図２に示すように、電源スイッチ３１と、設定スイッチ３２と、設定キースイッチ３３とが設けられている。電源スイッチ３１は、電源部３０のオン状態、オフ状態を切り替えるものである。電源スイッチ３１がオンされると、電源部３０がオン状態になり、電源部３０から各部に電力が供給されて、回胴式遊技機は動作を開始することになる。具体的に、電源部３０から各部への電力供給は、主制御基板６０を経由して行われる。
【００３１】
通常、回胴式遊技機では、出玉率を６段階のいずれかに設定することが可能である。設定スイッチ３２は、出玉率の設定を行うことを指示するためのスイッチである。また、設定キースイッチ３３は、設定スイッチ３２を操作可能にするためのスイッチである。この設定キースイッチ３３には鍵穴が設けられており、設定キーをその鍵穴に差し込んで設定キースイッチ３３を所定方向に回すと、設定キースイッチ３３をＯＮ状態にすることができる。出玉率の設定は電源投入時に行われる。具体的に、出玉率の設定を行う場合、遊技場の係員は、設定キーを設定キースイッチ３３の鍵穴に差し込み、設定キースイッチ３３を所定方向に回した後、電源スイッチ３１をオンにする。すると、主制御基板６０は、出玉率の設定処理を開始し、図示しない設定内容表示部に現在の出玉率の設定値を表示する。そして、遊技場の係員が設定スイッチ３２を操作して出玉率の設定値を変更すると、主制御基板６０はその変更後の設定値を認識し、設定内容表示部に表示させる。
【００３２】
機枠１内に設けられている各種のセンサ４１，４２，４３，４４，４５は、遊技機での所定の出来事の発生を認識するのに必要な情報を検出するものである。これらのセンサ４１，４２，４３，４４，４５からの検出信号は個別に主制御基板６０に出力される。
【００３３】
具体的に、扉開放検出センサ４１は、扉２が開放されたことを検出するものである。この扉開放検出センサ４１からの検出信号により、主制御基板６０は扉２が開放されたという出来事を認識することができる。この扉開放検出センサ４１としては、機械的な動作で電気回路を開閉する機能をもつリミットスイッチ等が用いられる。設定キースイッチ操作検出センサ４２は、設定キースイッチ３３がＯＮ情報にされたことを検出するものである。この設定キースイッチ操作検出センサ４２からの検出信号により、主制御基板６０は設定キースイッチ３３がＯＮ状態にされたという出来事、すなわち遊技機の設定（出玉率の設定）を変更又は確認するという作業が行われたという出来事を認識することができる。
【００３４】
投入メダル検出センサ４３は、メダルがメダル投入口１３から投入されたことを検出するものである。この投入メダル検出センサ４３からの検出信号により、主制御基板６０はメダルが投入されたという出来事を認識することができる。ところで、通常、回胴式遊技機には、投入メダル検出センサ４３からの検出信号に基づいてメダル投入の際に不正が行われたかどうかを判断する機能が備わっている。このため、投入メダル検出センサ４３からの検出信号に基づいて、主制御基板６０は、メダル投入エラーが発生したこと、すなわちメダル投入の際に不正が行われたという出来事を認識することもできる。ホッパーモータ駆動検出センサ４４は、ホッパーモータを駆動するための信号（ホッパーモータ駆動信号）が発せられたことを検出するものである。このホッパーモータ駆動検出センサ４４からの検出信号により、主制御基板６０は、メダルが払い出されたという出来事を認識することができる。特に、正規の入賞メダルの払出し処理が行われていないにもかかわらず、ホッパーモータ駆動検出センサ４４からの検出信号を受けたときには、主制御基板６０は、メダル払出エラーが発生したこと、すなわちメダル払出しの際に不正が行われたという出来事を認識することができる。電源ＯＮ検出センサ４５は、電源スイッチ３１がオンにされたことを検出するものである。この電源ＯＮ検出センサ４５からの検出信号により、主制御基板６０は、電源スイッチ３１がオンにされたという出来事を認識することができる。
【００３５】
このように、投入メダル検出センサ４３やホッパーモータ駆動検出センサ４４からの検出信号は、遊技機で不正が行われたことを認識するためにも用いられる。また、上述したように、扉２が開放されたこと、設定キースイッチ３３がＯＮ状態にされたこと、電源スイッチ３１がオンにされたことは、出玉率の設定に関連した行為である。このため、例えばこれらの行為が何ら理由もなく行われると、不正が行われたと判断することができる。したがって、扉開放検出センサ４１、設定キースイッチ操作検出センサ４２、電源ＯＮ検出センサ４５からの検出信号も、投入メダル検出センサ４３、ホッパーモータ駆動検出センサ４４からの検出信号と同様に、遊技機で不正が行われたことを認識するために用いることができる。
【００３６】
扉開閉検出センサ５１は、扉２が開放されたこと及び閉じられたことを検出するものである。この扉開閉検出センサ５１からの検出信号は主制御基板６０を介して外部端子板８０に出力される。ここで、この検出信号は、主制御基板６０のＣＰＵに送られるのではなく、単に主制御基板６０を経由して外部端子板８０に送出される。かかる扉開閉検出センサ５１が扉開放検出センサ４１と異なるのは、信号の出力先が主制御基板６０ではなく外部端子板８０である点、及び、扉開閉検出センサ５１として自己発電型スイッチを用いている点である。一般に、自己発電型スイッチとは、外部電源からの電力の供給なしに、可動部の機械的な動作により電磁誘導又は圧電効果等を利用して発電を行い、電気信号を出力することができるものをいう。本実施形態では、自己発電型スイッチとして、電磁誘導を利用したものを用いることにしている。図４は第一実施形態で用いている自己発電型スイッチの概略斜視図、図５はその自己発電型スイッチから出力される電気信号の波形を説明するための図である。図４に示すように、自己発電型スイッチ５００は、本体部５０１と、本体部５０１の上面に設けられた押しボタン（可動部）５０２とを有する。本体部５０１のサイズは、縦幅約２０ｍｍ、横幅約１６ｍｍ、高さ約１２ｍｍである。押しボタン５０２のストロークは約２．５ｍｍである。押しボタン５０２に力を加えていない状態が自己発電型スイッチ５００のオフ状態である。この押しボタン５０２に力を加えて押しボタン５０２を下方に押し込むと、自己発電型スイッチ５００はオン状態となる。そして、自己発電型スイッチ５００がオン状態にある場合に押しボタン５０２を押す力を解放すると、押しボタン５０２は自動で元の位置に復帰し、自己発電型スイッチ５００はオフ状態になる。扉開閉検出センサ５１としての自己発電型スイッチ５００は、扉２の開閉により押しボタン５０２が機械的に動作するように設けられている。すなわち、扉２が閉じられている場合には、その扉２により押しボタン５０２が押し込まれ、自己発電型スイッチ５００はオン状態となっており、一方、扉２を開けると、押しボタン５０２が元の位置に戻り、自己発電型スイッチ５００はオフ状態になる。このように扉２の開閉に基づく押しボタン５０２の機械的な動作により自己発電型スイッチ５００のオン・オフ状態が切り替わると、誘導起電力が発生し、これにより、自己発電型スイッチ５００は発電を行う。ここで、自己発電型スイッチ５００がオン状態からオフ状態に切り替わるときとオフ状態からオン状態に切り替わるときとで異なる極性の電気信号が出力される。具体的に、図５に示すように、自己発電型スイッチ５００がオン状態からオフ状態に切り替わるときに正の極性の電気信号が出力され、自己発電型スイッチ５００がオフ状態からオン状態に切り替わるときに負の極性の電気信号が出力される。また、この自己発電型スイッチ５００から出力される電気信号（パルス信号）の波形は、幅約３ｍｓで大きさ約４Ｖである。
【００３７】
主制御基板脱着検出センサ５２は、主制御基板６０が取り外されたこと及び取り付けられたことを検出するものである。この主制御基板脱着検出センサ５２からの検出信号は外部端子板８０に出力される。主制御基板脱着検出センサ５２としては、扉開閉検出センサ５１と同様に、図４に示す自己発電型スイッチ５００を用いている。主制御基板脱着検出センサ５２としての自己発電型スイッチ５００は、主制御基板６０の脱着により押しボタン５０２が機械的に動作するように設けられている。すなわち、主制御基板６０が機枠１内の所定箇所に取り付けられている場合には、主制御基板６０により押しボタン５０２が押し込まれ、自己発電型スイッチ５００はオン状態になっている。そして、主制御基板６０が取り外されると、押しボタン５０２が元の位置に戻り、自己発電型スイッチ５００はオフ状態になる。かかる主制御基板脱着検出センサ５２は、オン・オフ状態が切り替わる際に発電を行い、図５に示すように、オン状態からオフ状態に切り替わるときとオフ状態からオン状態に切り替わるときとで異なる極性の電気信号を出力する。
【００３８】
回胴式遊技機では、三つの回胴１１ａ，１１ｂ，１１ｃの停止時に表示される図柄を、各種の役に対応する図柄の組合せに揃えるという遊技が行われる。具体的に、回胴式遊技機における遊技を行うには、遊技者は、まず、メダルをメダル投入口１３へ直接投入するか、或いは、貯留装置に貯留されているメダルを、貯留メダル投入ボタン１４を押圧して投入するかのいずれかの行為を行う。次に、遊技者は、始動スイッチ１６を操作して回胴１１ａ，１１ｂ，１１ｃを回転させた後、停止ボタン１７ａ，１７ｂ，１７ｃを任意の順序で順次押圧して回胴１１ａ，１１ｂ，１１ｃを停止させる。回胴１１ａ，１１ｂ，１１ｃが停止したときに、表示窓１２の上、中、下の水平な有効ライン及び斜めの有効ライン等、予め設定された有効ライン上に、複数種類の役のうちいずれかの役に対応する図柄の組合せが停止表示されれば、遊技の結果は当該役の入賞となる。遊技の結果が役の入賞であれば、当該役に対応する所定枚数のメダルが払い出される。ここで、払い出されるメダルは、貯留枚数が５０枚になるまでは貯留装置に貯留され、貯留枚数が５０枚を超える分はメダル排出装置２６によってメダル払出口２２からメダル受け皿２３に払い出される。一方、遊技機の結果が役の入賞でなければ、メダルの払出しは行われない。
【００３９】
主制御基板６０は、主に遊技内容やメダルの払出しの制御及び管理を行うものである。かかる主制御基板６０は、図３に示すように、ＲＯＭ６１と、ＲＡＭ６２と、ＣＰＵ６３とを有する。ＲＯＭ６１には、遊技内容の制御等に関する各種のプログラムが格納されている。また、ＲＡＭ６２は、データを一時的に記憶する作業用のメモリである。ＣＰＵ６３は、ＲＯＭ６１に格納されたプログラムを実行することにより遊技内容の制御等を行う。具体的に、ＣＰＵ６３は、遊技状態の管理、回胴回転装置１１の各回胴１１ａ，１１ｂ，１１ｃの駆動・停止処理、副制御基板７０への指令信号の送信処理、外部端子板８０への各種信号の出力処理等を行う。
【００４０】
まず、遊技状態の管理について説明する。ＣＰＵ６３は、遊技の結果等に基づいて遊技状態の移行を制御している。そして、ＣＰＵ６３は、現在の遊技状態の内容を、遊技状態に関するデータで管理している。この遊技状態に関するデータはＲＡＭ６２に記憶される。遊技状態が移行すると、その移行した遊技状態に応じた内容の遊技が実行されることになる。本実施形態の回胴式遊技機では、遊技状態として、「通常の遊技状態」、「第一種特別役物作動中」、「第一種特別役物に係る役物連続作動装置作動中」、「第二種特別役物作動中」、「第二種特別役物に係る役物連続作動装置作動中」、「普通役物作動中」等の各種の遊技状態が設定されている。例えば、遊技において、表示窓１２の有効ライン上に「７−７−７」の図柄が揃うと、ＣＰＵ６３は、遊技状態を第一種特別役物に係る役物連続作動装置作動中（大ボーナス）に移行させる。そして、遊技状態が第一種特別役物に係る役物連続作動装置作動中である場合には、遊技者が最も多量のメダルを獲得可能な大ボーナス遊技が行われる。この大ボーナス遊技は、メダルの累積払出枚数が予め定めた所定枚数（例えば、４５０枚）を超えたときに終了する。
【００４１】
また、ＣＰＵ６３は、回胴回転装置１１の各回胴１１ａ，１１ｂ，１１ｃの駆動・停止処理を行う。各回胴１１ａ，１１ｂ，１１ｃの駆動処理とは、メダルが投入されることを条件に、始動スイッチ１６が操作されたときに、三つの回胴１１ａ，１１ｂ，１１ｃの駆動動作を開始させる処理である。また、各回胴１１ａ，１１ｂ，１１ｃの停止処理とは、ある回胴が駆動している場合、当該回胴に対応する停止ボタンが押されたときに、当該回胴の駆動を停止させる処理である。
【００４２】
更に、ＣＰＵ６３は、副制御基板７０への指令信号の送信処理を行う。ＣＰＵ６３から副制御基板７０に送信する指令信号には多くの種類がある。例えば、遊技の演出に関する指令信号や、遊技者によって所定の操作が行われたときにその操作が行われた旨を示す指令信号、現在の遊技状態を示す指令信号等がある。ＣＰＵ６３は、これらの指令信号を副制御基板７０に送信することにより、副制御基板７０にさまざまな情報を伝えて、副制御基板７０を制御している。
【００４３】
次に、ＣＰＵ６３が行う外部端子板８０への各種信号の出力処理について説明する。回胴式遊技機は、図３に示すように、外部端子板８０を介して外部管理装置２００と接続されている。主制御基板６０のＣＰＵ６３は、外部端子板８０に各種の信号を出力することにより外部管理装置２００にそれらの信号を送信する。外部管理装置２００は、例えば、遊技場内に設定された複数の遊技機からの信号を受けて各遊技機についての情報を管理するホールコンピュータである。ＣＰＵ６３が外部端子板８０に出力する信号としては、遊技状態信号、メダル投入信号、メダル払出信号、遊技機信号がある。
【００４４】
ＣＰＵ６３は、遊技状態が各種の特定遊技状態に変化したときに、遊技状態がその変化した特定遊技状態であることを示す遊技状態信号を生成すると共に、その生成された各遊技状態信号を個別に外部端子板８０に出力する。具体的に、ＣＰＵ６３は、遊技状態が第一種特別役物作動中になったときに、遊技状態信号１として第一種特別役物作動中信号を生成して出力し、遊技状態が第一種特別役物に係る役物連続作動装置作動中になったときに、遊技状態信号２として第一種特別役物に係る役物連続作動装置作動中信号を生成して出力する。また、ＣＰＵ６３は、遊技状態が第二種特別役物作動中になったときに、遊技状態信号３として第二種特別役物作動中信号を生成して出力し、遊技状態が第二種特別役物に係る役物連続作動装置作動中になったときに、遊技状態信号４として第二種特別役物に係る役物連続作動装置作動中信号を生成して出力する。また、ＣＰＵ６３は、遊技状態が普通役物作動中になったときに、遊技状態信号５として普通役物作動中信号を生成して出力する。
【００４５】
また、ＣＰＵ６３は、メダル投入信号及びメダル払出信号を生成し、その生成されたメダル投入信号及びメダル払出信号を個別に外部端子板８０に出力する。具体的に、ＣＰＵ６３は、投入メダル検出センサ４３からの検出信号を受けたときに、メダルが投入された旨のメダル投入信号を生成して出力する。そして、ＣＰＵ６３は、ホッパーモータ駆動検出センサ４４からの検出信号を受けたときに、その検出信号に基づいて所定枚数のメダルが払い出された旨のメダル払出信号を生成して出力する。
【００４６】
更に、ＣＰＵ６３は、各センサ４１，４２，４３，４４，４５からの検出信号に基づいて遊技機で所定の出来事が発生したと判断したときに、当該出来事が発生したことを示す遊技機信号を生成すると共に、その生成された各遊技機信号を個別に外部端子板８０に出力する。具体的に、ＣＰＵ６３は、扉開放検出センサ４１からの検出信号を受けたときに、扉２が開放されたと判断し、遊技機信号１として扉２が開放されたことを示す扉開放信号を生成して出力する。ＣＰＵ６３は、設定キースイッチ操作検出センサ４２からの検出信号を受けたときに、設定キースイッチ３３がＯＮ状態にされたと判断し、遊技機信号２として設定キースイッチ３３がＯＮ状態にされたことを示す設定変更信号を生成して出力する。ＣＰＵ６３は、投入メダル検出センサ４３からの検出信号に基づいてメダル投入エラーが発生したと判断したときに、遊技機信号３としてメダル投入エラーが発生したことを示す投入エラー信号を生成して出力する。また、ＣＰＵ６３は、正規の入賞メダルの払出し処理が行われていないにもかかわらず、ホッパーモータ駆動検出センサ４４からの検出信号を受けたときに、メダル払出エラーが発生したと判断し、遊技機信号４としてメダル払出エラーが発生したことを示す払出エラー信号を生成して出力する。更に、ＣＰＵ６３は、電源ＯＮ検出センサ４５からの検出信号を受けたときに、電源スイッチ３１がオンにされたと判断し、遊技機信号５として電源スイッチ３１がオンにされたことを示す電源ＯＮ信号を生成して出力する。このように、ＣＰＵ６３は、遊技状態信号１〜５、メダル投入信号、メダル払出信号、遊技機信号１〜５の合計１２個の信号を個別に外部端子板８０に出力している。
【００４７】
副制御基板７０は、主に遊技の進行に伴う演出の制御を行う。この副制御基板７０は、図示しないが、ＲＯＭと、ＲＡＭと、ＣＰＵと、スピーカ駆動回路とを有する。副制御基板７０のＲＯＭには、遊技演出等に関する各種のプログラムが格納されている。また、副制御基板７０のＲＡＭは、データを一時的に記憶する作業用のメモリである。このＲＡＭには、例えば、主制御基板６０から送られた指令信号等が一時記憶される。副制御基板７０のＣＰＵは、主制御基板６０から送られた指令信号に基づいて演出手段としてのスピーカ２８に実行させる演出の内容を決定し、その決定した内容にしたがってスピーカ駆動回路を介してスピーカ２８を制御する。
【００４８】
外部端子板８０は、図２に示すように、機枠１内の上部に取り付けられている。この外部端子板８０には、主制御基板６０から各種の信号及び電力が送られる。外部端子板８０は、主制御基板６０から送られた信号を中継して、外部管理装置２００に送出する。また、外部端子板８０には、扉開閉検出センサ５１からの電気信号（検出信号）及び主制御基板脱着検出センサ５２からの電気信号（検出信号）が個別に送られ、外部端子板８０はこれらの検出信号を中継して、外部管理装置２００に送信する。
【００４９】
外部端子板８０は、図３に示すように、主制御基板６０と接続するための第一コネクタＣＮ１１と、扉開閉検出センサ５１と接続するための第二コネクタＣＮ１２と、主制御基板脱着検出センサ５２と接続するための第三コネクタＣＮ１３と、外部管理装置２００と接続するための第四コネクタＣＮ１４，第五コネクタＣＮ１５及び第六コネクタＣＮ１６と、二つのリレー回路８１，８２とを備えている。
【００５０】
第一コネクタＣＮ１１は、主制御基板６０のコネクタと伝送線を介して接続される。この第一コネクタＣＮ１１は、ＣＰＵ６３から出力された遊技状態信号１〜５、メダル投入信号、メダル払出信号、遊技機信号１〜５の各々を個別に入力するための端子、及び、電源部３０から主制御基板６０を経由して供給される電力を入力するための端子を有している。また、第二コネクタＣＮ１２は、２個の端子を有しており、扉開閉検出センサ５１と接続される。この第二コネクタＣＮ１２は、扉開閉検出センサ５１から出力された検出信号を入力するためのものである。第三コネクタＣＮ１３は、２個の端子を有しており、主制御基板脱着検出センサ５２と接続される。この第三コネクタＣＮ１３は、主制御基板脱着検出センサ５２から出力された検出信号を入力するためのものである。
【００５１】
図６は第一実施形態の回胴式遊技機における外部端子板８０に設けられたリレー回路８１，８２の概略ブロック図である。二つのリレー回路８１，８２はそれぞれ、所定の自己発電型スイッチから出力された電気信号を受けたとき、この電気信号に基づいて接点の開閉状態を変更して保持すると共にその開閉状態を示す接点の開閉信号を出力するものである。
【００５２】
一方のリレー回路８１は、扉開閉検出センサ５１に対応して設けられており、扉開閉検出センサ５１から出力された電気信号の極性に応じて接点の開閉状態を変更して保持する。このリレー回路８１としては、図６に示すように、コイル及び接点を有する一巻ラッチングリレーを用いている。リレー回路８１は、扉開閉検出センサ５１から正負の極性のうち一方の極性の電気信号を受けたときに、動作して接点の開閉状態を変更して保持し、その後、扉開閉検出センサ５１から他方の極性の電気信号を受けたときに、動作して接点の開閉状態を元の状態に戻して保持する。具体的に、扉開閉検出センサ５１から正の極性の電気信号がリレー回路８１に送られると、コイルに所定方向の電流が流れ、リレー回路８１は、現在の接点の状態が開状態であれば接点の状態を閉状態に変更して保持する。その後、扉開閉検出センサ５１から負の極性の電気信号がリレー回路８１に送られると、コイルに逆方向の電流が流れ、リレー回路８１は、接点の状態を開状態に変更して保持する。そして、扉開閉検出センサ５１から電気信号が送られていないときには、リレー回路８１は接点の状態をそのまま維持する。
【００５３】
もう一方のリレー回路８２は、主制御基板脱着検出センサ５２に対応して設けられており、主制御基板脱着検出センサ５２から出力された電気信号の極性に応じて接点の開閉状態を変更して保持する。このリレー回路８２としては、リレー回路８１と同様に一巻ラッチングリレーを用いている。リレー回路８２は、主制御基板脱着検出センサ５２から正負の極性のうち一方の極性の電気信号を受けたときに、動作して接点の開閉状態を変更して保持し、その後、主制御基板脱着検出センサ５２から他方の極性の電気信号を受けたときに、動作して接点の開閉状態を元の状態に戻して保持する。具体的に、主制御基板脱着検出センサ５２から正の極性の電気信号がリレー回路８２に送られると、コイルに所定方向の電流が流れ、リレー回路８２は、現在の接点の状態が開状態であれば接点の状態を閉状態に変更して保持する。その後、主制御基板脱着検出センサ５２から負の極性の電気信号がリレー回路８２に送られると、コイルに逆方向の電流が流れ、リレー回路８２は、接点の状態を開状態に変更して保持する。そして、主制御基板脱着検出センサ５２から信号が送られていないときには、リレー回路８２は接点の状態をそのまま維持する。
【００５４】
第四コネクタＣＮ１４は、外部管理装置２００のコネクタと伝送線を介して接続される。この第四コネクタＣＮ１４は、遊技状態信号１〜５、メダル投入信号、メダル払出信号、遊技機信号１〜５の各々を個別に出力するための端子を有している。また、第五コネクタＣＮ１５は、２個の端子を有しており、外部管理装置２００のコネクタと伝送線を介して接続される。この第五コネクタＣＮ１５は、リレー回路８１における接点の開閉状態に応じた信号を出力するためのものである。第六コネクタＣＮ１６は、２個の端子を有しており、外部管理装置２００のコネクタと伝送線を介して接続される。この第六コネクタＣＮ１６は、リレー回路８２における接点の開閉状態に応じた信号を出力するためのものである。尚、外部管理装置２００は第五コネクタＣＮ１５及び第六コネクタＣＮ１６の各々に常時、所定の信号を送り、コネクタＣＮ１５，ＣＮ１６の状態を監視している。
【００５５】
次に、第一実施形態の回胴式遊技機において外部管理装置２００に扉開閉検出センサ５１からの信号及び主制御基板脱着検出センサ５２からの信号を出力する動作について説明する。
【００５６】
まず、扉開閉検出センサ５１からの信号の出力動作を説明する。扉２が開放されると、扉開閉検出センサ５１は自ら発電を行い、正の極性の電気信号を外部端子板８０の第二コネクタＣＮ１２に出力する。この第二コネクタＣＮ１２に出力された正の極性の電気信号はリレー回路８１に送られ、リレー回路８１が動作してその接点が閉状態となる。これにより、リレー回路８１から外部管理装置２００へは、接点の閉状態に応じた信号が出力される。その後、扉２が閉じられると、扉開閉検出センサ５１は自ら発電を行い、負の極性の電気信号を外部端子板８０の第二コネクタＣＮ１２に出力する。この第二コネクタＣＮ１２に出力された負の極性の電気信号はリレー回路８１に送られ、リレー回路８１が動作してその接点が閉状態から開状態になる。これにより、リレー回路８１から外部管理装置２００へは、接点の開状態に応じた信号が出力される。こうして、外部管理装置２００は、リレー回路８１から出力される信号に基づいて、扉２が開放されたことを認識すると、所定の処理を行う。例えば、外部管理装置２００は、遊技店の営業時間外の期間等のように、回胴式遊技機に外部電源の電力が供給されていないときに、その回胴式遊技機の扉２が開放されたことを認識すると、その旨及びその日時の情報を記憶手段に記憶したり、店内に設置されている監視カメラを動作させて、当該回胴式遊技機の様子を録画したりする。また、このとき、外部管理装置２００は、各種の警報を発するようにしてもよい。
【００５７】
次に、主制御基板脱着検出センサ５２からの信号の出力動作を説明する。主制御基板６０が取り外されると、主制御基板脱着検出センサ５２は自ら発電を行い、正の極性の電気信号を外部端子板８０の第三コネクタＣＮ１３に出力する。この第三コネクタＣＮ１３に出力された正の極性の電気信号はリレー回路８２に送られ、リレー回路８２が動作してその接点が閉状態となる。これにより、リレー回路８２から外部管理装置２００へは、接点の閉状態に応じた信号が出力される。その後、主制御基板６０が元の箇所に取り付けられると、主制御基板脱着検出センサ５２は自ら発電を行い、負の極性の電気信号を外部端子板８０の第三コネクタＣＮ１３に出力する。この第三コネクタＣＮ１３に出力された負の極性の電気信号はリレー回路８２に送られ、リレー回路８２が動作してその接点が閉状態から開状態になる。これにより、リレー回路８２から外部管理装置２００へは、接点の開状態に応じた信号が出力される。こうして、外部管理装置２００は、リレー回路８２から出力される信号に基づいて、主制御基板６０が取り外されたことを認識すると、外部管理装置２００は、例えば上述した扉２が開放された場合に行われる処理と同様の処理を行う。
【００５８】
第一実施形態の回胴式遊技機では、扉開閉検出スイッチ（自己発電型スイッチ）が扉の開閉に応じて電気信号を出力し、その扉開放検出スイッチに対応して設けられたリレー回路がその出力された電気信号に基づいて接点の開閉状態を変更して保持すると共にその開閉状態を示す接点の開閉信号を外部管理装置に出力することにより、遊技機に外部電源からの電力が供給されていない電源遮断の期間中であっても、扉の開閉を検出することができる。また、主制御基板脱着検出センサ（自己発電型スイッチ）が主制御基板の脱着に応じて電気信号を出力し、その主制御基板脱着検出センサに対応して設けられたリレー回路がその出力された電気信号に基づいて接点の開閉状態を変更して保持すると共にその開閉状態を示す接点の開閉信号を外部管理装置に出力することにより、遊技機に外部電源からの電力が供給されていない電源遮断の期間中であっても、主制御基板の脱着を検出することができる。このため、何者かが遊技機に対して不正行為を行う目的で扉を開けたり、主制御基板を取り外したりしたとしても、扉を開けたことや主制御基板を取り外したことを検出することができるので、セキュリティの向上を図ることができる。特に、外部管理装置は、リレー回路から出力された接点の開閉信号に基づいて、扉を開けたことや主制御基板を取り外したことを検出したときには、例えば各種の警報を発することができる。
【００５９】
［第二実施形態］
次に、本発明の第二実施形態について図面を参照して説明する。図７は本発明の第二実施形態である遊技機の概略ブロック図である。第二実施形態でも、第一実施形態と同様に、遊技機が回胴式遊技機である場合について説明する。また、第二実施形態において扉を閉じた状態の遊技機の概略斜視図及び扉を開いた状態の遊技機の概略斜視図はそれぞれ、図１、図２と略同じであるので、第二実施形態の遊技機の説明にも図１及び図２を用いることにする。尚、第二実施形態において、第一実施形態のものと同一の機能を有するものには、同一の符号を付すことにより、その詳細な説明を省略する。
【００６０】
第二実施形態の回胴式遊技機は、図１、図２及び図７に示すように、回胴回転装置１１と、表示窓１２と、メダル投入口１３と、貯留メダル投入ボタン１４と、貯留メダル枚数表示部１５と、始動スイッチ１６と、三つの停止ボタン１７ａ，１７ｂ，１７ｃと、三つのストップ可能ランプ１８ａ，１８ｂ，１８ｃと、貯留メダル清算ボタン１９と、払出メダル枚数表示部２１と、メダル払出口２２と、メダル受け皿２３と、メダル補給用穴２４と、ホッパーバケット２５と、メダル排出装置２６と、払出制御基板２７と、スピーカ２８と、ランプ２９と、電源部３０と、扉開放検出センサ４１と、設定キースイッチ操作検出センサ４２と、投入メダル検出センサ４３と、ホッパーモータ駆動検出センサ４４と、電源ＯＮ検出センサ４５と、主制御基板脱着検出センサ５２と、主制御基板６０と、副制御基板７００と、外部端子板８００とを備える。尚、第二実施形態の回胴式遊技機の説明においては、図２において、副制御基板７０を副制御基板７００に、外部端子板８０を外部端子板８００に読み替えるものとする。
【００６１】
第二実施形態の回胴式遊技機が第一実施形態のものと異なる点は、自己発電型スイッチとして、扉開閉検出センサを設けておらず、主制御基板脱着検出センサ５２だけを設けている点、その主制御基板脱着検出センサ５２からの信号を外部端子板８００ではなく、副制御基板７００に設けた二つのリレー回路に出力している点、及び、副制御基板７００が所定のタイミングで当該二つのリレー回路における接点の状態を調べる点である。その他の構成は上記第一実施形態のものと同様である。
【００６２】
主制御基板脱着検出センサ５２は、主制御基板６０が取り外されたこと及び取り付けられたことを検出するものである。第二実施形態では、この主制御基板脱着検出センサ５２からの検出信号が副制御基板７００に出力される。主制御基板脱着検出センサ５２は、自己発電型スイッチで構成されており、その動作は第一実施形態で既に説明したとおりである。
【００６３】
外部端子板８００は、主制御基板６０から送られた信号を中継して、外部管理装置２００に送出する。この外部端子板８００は、図７に示すように、主制御基板６０と接続するための第一コネクタＣＮ２１と、外部管理装置２００と接続するための第二コネクタＣＮ２２とを備えている。第一コネクタＣＮ２１は、主制御基板６０のコネクタと伝送線を介して接続される。この第一コネクタＣＮ２１は、ＣＰＵ６３から出力された遊技状態信号１〜５、メダル投入信号、メダル払出信号、遊技機信号１〜５の各々を個別に入力するための端子、及び、電源部３０から主制御基板６０を経由して供給される電力を入力するための端子を有している。第二コネクタＣＮ２２は、外部管理装置２００のコネクタと伝送線を介して接続される。この第二コネクタＣＮ２２は、遊技状態信号１〜５、メダル投入信号、メダル払出信号、遊技機信号１〜５の各々を個別に出力するための端子を有している。
【００６４】
副制御基板７００は、主に遊技の進行に伴う演出の制御を行うが、第二実施形態では、さらに主制御基板６０に対する不正行為が行われた可能性があるかどうかを判断する処理を行う。この副制御基板７００は、図７に示すように、ＲＯＭ７１０と、ＲＡＭ７２０と、ＣＰＵ７３０と、スピーカ駆動回路７４０と、第一リレー回路７５０と、第二リレー回路７６０と、主制御基板脱着検出センサ５２と接続するためのコネクタＣＮ３１とを有する。ＲＯＭ７１０には、遊技演出等に関する各種のプログラムが格納されている。また、ＲＡＭ７２０は、データを一時的に記憶する作業用のメモリである。このＲＡＭ７２０には、例えば、主制御基板６０から送られた指令信号等が一時記憶される。
【００６５】
図８は第二実施形態の回胴式遊技機において副制御基板７００に設けられた第一リレー回路７５０及び第二リレー回路７６０の概略ブロック図である。図７及び図８に示すように、第一リレー回路７５０と第二リレー回路７６０は、主制御基板脱着検出センサ５２に対して並列に接続されている。第一リレー回路７５０は、一巻ラッチングリレー７５１と、ダイオード７５２とを備え、第二リレー回路７６０は、一巻ラッチングリレー７６１と、ダイオード７６２とを備える。ここで、一巻ラッチングリレー７５１，７６１は、コイル及び接点を有する。ダイオード７５２は主制御基板脱着検出センサ５２からの信号が入力するコネクタＣＮ３１の一方の端子と一巻ラッチングリレー７５１との間に接続され、ダイオード７６２はコネクタＣＮ３１の上記一方の端子と一巻ラッチングリレー７６１との間に接続されているが、ダイオード７５２とダイオード７６２とでは相対的にアノードとカソードの向きが反対になっている。このため、一巻ラッチングリレー７５１と一巻ラッチングリレー７６１とには主制御基板脱着検出センサ５２からの信号が同時に出力されることはない。ここで、一巻ラッチングリレー７５１と一巻ラッチングリレー７６１とはそれぞれ、初期状態では予め接点の状態が開状態になっている。
【００６６】
第一リレー回路７５０は、主制御基板脱着検出センサ５２から正負の極性のうち一方の極性の電気信号が送られたときに動作して接点の開閉状態を変更して保持し、その後、主制御基板脱着検出センサ５２から正負いずれの極性の電気信号が送られてきてもその状態をそのまま維持する。具体的に、一巻ラッチングリレー７５１における接点の状態が開状態である場合に、主制御基板６０が取り外されて、主制御基板脱着検出センサ５２から第一リレー回路７５０に正の極性の信号が送られると、その信号はダイオード７５２を介して一巻ラッチングリレー７５１のコイルに出力され、一巻ラッチングリレー７５１はスイッチの接点の状態を開状態から閉状態に変更して保持する。こうして一巻ラッチングリレー７５１における接点の状態が閉状態になると、その後、主制御基板６０が取り付けられて、主制御基板脱着検出センサ５２から第一リレー回路７５０に負の極性の信号が送られても、その信号はダイオード７５２の整流作用により一巻ラッチングリレー７５１のコイルに出力されず、このため、一巻ラッチングリレー７５１は接点の状態を閉状態のまま維持する。そして、一巻ラッチングリレー７５１における接点の状態が閉状態である場合に、再度、主制御基板６０が取り外されて、主制御基板脱着検出センサ５２から第一リレー回路７５０に正の極性の信号が送られても、一巻ラッチングリレー７５１における接点の状態は閉状態のまま維持される。
【００６７】
また、第二リレー回路７６０は、主制御基板脱着検出センサ５２から正負の極性のうち他方の極性の電気信号が送られたときに動作して接点の開閉状態を変更して保持し、その後、主制御基板脱着検出センサ５２から正負いずれの極性の電気信号が送られてきてもその状態をそのまま維持する。具体的に、一巻ラッチングリレー７６１における接点の状態が開状態である場合に、主制御基板６０が取り外されて、主制御基板脱着検出センサ５２から第二リレー回路７６０に正の極性の信号が送られると、その信号はダイオード７６２の整流作用により一巻ラッチングリレー７６１のコイルに出力されず、このため、一巻ラッチングリレー７６１は接点の状態を開状態のまま維持する。その後、取り外された主制御基板６０が取り付けられて、主制御基板脱着検出センサ５２から第二リレー回路７６０に負の極性の信号が送られると、その信号はダイオード７６２を介して一巻ラッチングリレー７６１のコイルに出力され、一巻ラッチングリレー７６１はスイッチの接点の状態を開状態から閉状態に変更して保持する。こうして一巻ラッチングリレー７５１における接点の状態が閉状態になると、その後、再び主制御基板６０が取り外されて、主制御基板脱着検出センサ５２から第一リレー回路７５０に正の極性の信号が送られても、また、その取り外された主制御基板６０が再度、取り付けられて、主制御基板脱着検出センサ５２から第一リレー回路７５０に負の極性の信号が送られても、一巻ラッチングリレー７５１における接点の状態は閉状態のまま維持される。
【００６８】
ＣＰＵ７３０は、主制御基板６０から送られた指令信号に基づいて演出手段としてのスピーカ２８に実行させる演出の内容を決定し、その決定した内容にしたがってスピーカ駆動回路７４０を介してスピーカ２８を制御する。また、第二実施形態では、ＣＰＵ７３０は、所定のタイミングで、第一リレー回路７５０及び第二リレー回路７６０についてそれらの接点の状態を調べ、主制御基板６０に対する不正行為の有無判断処理を行う。この主制御基板６０に対する不正行為の有無判断処理は、電源スイッチ３１がオンされて、外部電源から電力の供給が開始されたときに実行される。具体的に、ＣＰＵ７３０は、第一リレー回路７５０における接点の状態及び第二リレー回路７６０における接点の状態に基づいて、主制御基板６０に対する不正行為が行われたおそれがあるかどうかを判断する。そして、不正行為が行われたおそれがあると判断すると、ＣＰＵ７３０は、その旨を示す情報をスピーカ２８に出力する。これにより、例えば、スピーカ２８からは所定の警報が発せられる。尚、上記の不正行為の有無判断処理の後には、第一リレー回路７５０における接点の状態及び第二リレー回路７６０における接点の状態がともに開状態になるようにプログラム及び回路が構成されている。
【００６９】
次に、第二実施形態の回胴式遊技機において副制御基板７００のＣＰＵ７３０が行う不正行為の有無判断処理について具体的に説明する。
【００７０】
副制御基板７００のＣＰＵ７３０は、電源スイッチ３１がオンされて、外部電源から電力の供給が開始されると、所定の初期化処理を実行する。この処理化処理における一処理として主制御基板６０に対する不正行為の有無判断処理が行わる。具体的に、ＣＰＵ７３０は、第一リレー回路７５０及び第二リレー回路７６０についてそれらの接点の状態を調べる。第一リレー回路７５０における接点の状態と第二リレー回路７６０における接点の状態との取り得る組み合わせの種類は三通りある。すなわち、第一リレー回路７５０における接点の状態が開状態であり第二リレー回路７６０における接点の状態が開状態である場合、第一リレー回路７５０における接点の状態が閉状態であり第二リレー回路７６０における接点の状態が開状態である場合、第一リレー回路７５０における接点の状態が閉状態であり第二リレー回路７６０における接点の状態が閉状態である場合がある。第一リレー回路７５０における接点の状態と第二リレー回路７６０における接点の状態とがともに開状態であるということは、主制御基板６０が取り外されておらず、主制御基板６０に対する不正行為は行われていないということを意味する。また、第一リレー回路７５０における接点の状態が閉状態であり第二リレー回路７６０における接点の状態が開状態であるということは、主制御基板６０が取り外されて、現在、当該回胴式遊技機には主制御基板６０が所定の箇所に取り付けられていないということを意味する。更に、第一リレー回路７５０における接点の状態と第二リレー回路７６０における接点の状態とがともに閉状態であるということは、主制御基板６０が取り外され、その後、主制御基板６０が取り付けられたことを意味する。したがって、この場合、主制御基板６０に対して不正行為が行われている可能性がある。ＣＰＵ７３０は、第一リレー回路７５０における接点の状態及び第二リレー回路７６０における接点の状態を調べ、少なくとも一方のリレー回路が動作して接点の開閉状態が変更されていること、すなわち、少なくとも一方の接点の状態が閉状態であることを認識すると、主制御基板６０に対する不正行為が行われている可能性があると判断する。そして、ＣＰＵ７３０は、主制御基板６０に対する不正行為が行われている可能性があることを示す情報をスピーカ２８に出力する。かかる情報がスピーカ２８から出力されると、遊技場の係員は、当該回胴式遊技機に対して主制御基板６０が交換されていたり、改造されていたりしていないかを調べることになる。これにより、不正行為の存在が明らかになれば、当該回胴式遊技機は新たな回胴式遊技機と交換されることになる。
【００７１】
第二実施形態の回胴式遊技機では、主制御基板脱着検出センサ（自己発電型スイッチ）は、遊技機に外部電源からの電力が供給されていない電源遮断の期間中であっても、主制御基板が取り外されると、正の極性の電気信号を第一リレー回路及び第二リレー回路に出力し、主制御基板がその後に取り付けられると、負の極性の電気信号を第一リレー回路及び第二リレー回路に出力することができる。そして、第一リレー回路は、正の極性の電気信号が最初に送られたときに、接点の状態を開状態から閉状態に変更して保持し、第二リレー回路は、負の極性の電気信号が最初に送られたときに、接点の状態を開状態から閉状態に変更して保持する。すなわち、例えば、夜間、遊技機に外部電源からの電力が供給されていない場合に、扉が開閉され、主制御基板が脱着されると、その痕跡を二つのリレー回路における接点の状態として残しておくことができる。このため、遊技機に対して外部電源からの電力の供給が開始された際に、副主制御基板は、二つのリレー回路における接点の状態を調べ、夜間に、当該遊技機における主制御基板が取り外されたと判断したときに、例えば各種の警報を発することができるので、セキュリティの向上を図ることができる。
【００７２】
［その他の実施形態］
尚、本発明は上記の各実施形態に限定されるものではなく、その要旨の範囲内において種々の変形が可能である。
【００７３】
例えば、上記の第一実施形態において、払出制御基板の脱着により可動部が機械的に動作するように自己発電型スイッチを設け、当該自己発電型スイッチから出力された電気信号を受けたとき、この電気信号に基づいて接点の開閉状態を変更して保持すると共にその開閉状態を示す接点の開閉信号を出力するリレー回路を外部端子板に設けるようにしてもよい。これにより、夜間、遊技機に外部電源からの電力が供給されていない場合、扉が開閉され、払出制御基板が脱着されると、当該自己発電型スイッチが電気信号を出力し、リレー回路がその出力された電気信号に基づいて接点の開閉状態を変更して保持するので、リレー回路の接点の開閉信号に基づいて、払出制御基板の脱着を検出することがきる。このため、例えば、外部端子板に接続された外部管理装置は、この接点の開閉信号に基づいて払出制御基板の脱着を検出したときに、例えば各種の警報を発することができる。
【００７４】
また、上記の第二実施形態において、扉の開閉により可動部が機械的に動作するように自己発電型スイッチを設け、当該自己発電型スイッチに対して並列に接続された第一リレー回路及び第二リレー回路を副制御基板に設けるようにしてもよい。これにより、夜間、遊技機に外部電源からの電力が供給されていない場合に、扉が開閉されると、その痕跡を上記二つのリレー回路における接点の状態として残しておくことができる。更に、上記の第二実施形態において、払出制御基板の脱着により可動部が機械的に動作するように自己発電型スイッチを設け、当該自己発電型スイッチに対して並列に接続された第一リレー回路及び第二リレー回路を副制御基板に設けるようにしてもよい。これにより、夜間、遊技機に外部電源からの電力が供給されていない場合に、扉が開閉され、払出制御基板が脱着されると、その痕跡を上記二つのリレー回路における接点の状態として残しておくことができる。
【００７５】
更に、上記の第二実施形態では、副制御基板のＣＰＵが、主制御基板に対する不正行為が行われたおそれがあると判断したときに、その旨を示す情報をスピーカに出力する場合について説明したが、回胴式遊技機が、画像を表示することにより遊技に係る演出を行う画像表示装置（演出手段）を備えている場合には、副制御基板のＣＰＵは、主制御基板に対する不正行為が行われたおそれがあることを示す情報を、この画像表示装置に表示するようにしてもよい。
【００７６】
また、上記の各実施形態では、本発明を、回胴式遊技機に適用した場合について説明したが、例えば、パチンコ遊技機に適用してもよい。
【００７７】
ところで、上記の各実施形態では、本発明を、回胴式遊技機やパチンコ遊技機等の遊技機に適用した場合について説明したが、本発明は、遊技機における扉の開閉や各種の制御基板の脱着に限らず、一般に、被検出物についてその脱着、開閉を含む機械的変位を検出するための検出装置として用いることが可能である。すなわち、この場合、本発明は、被検出物についてその脱着、開閉を含む機械的変位を検出するための検出装置であって、外部電源からの電力の供給なしに、被検出物の機械的変位に基づく可動部の機械的な動作により発電して電気信号を出力する自己発電型スイッチと、自己発電型スイッチから出力された電気信号を受けたとき、この電気信号に基づいて接点の開閉状態を変更して保持すると共にその開閉状態を示す接点の開閉信号を出力するリレー回路と、を具備することを特徴とするものである。このように、自己発電型スイッチが被検出物の機械的変位に基づいて可動部が機械的に動作することにより発電して電気信号を出力し、リレー回路がその出力された電気信号に基づいて接点の開閉状態を変更して保持すると共にその開閉状態を示す接点の開閉信号を出力することにより、外部電源から電力を供給することなく、被検出物の機械的変位、例えば被検出物の脱着、開閉等を検出することができる。このため、例えば、何者かが不正な手段を用いて被検出物を取り外して差し換えたとしても、これを検出することができるので、セキュリティの向上を図ることができる。
【００７８】
また、上記本発明に係る検出装置において、自己発電型スイッチは、被検出物についての機械的変位のうち離脱的な変位に基づく可動部の動作により正負の極性のうち一方の極性の電気信号を出力し、被検出物についての機械的変位のうち復帰的な変位に基づく可動部の動作により正負の極性のうち他方の極性の電気信号を出力し、リレー回路は、自己発電型スイッチから前記一方の極性の電気信号を受けたときに、動作して接点の開閉状態を変更して保持し、その後、自己発電型スイッチから前記他方の極性の電気信号を受けたときに、動作して接点の開閉状態を元の状態に戻して保持するように構成してもよい。これにより、リレー回路が自己発電型スイッチから出力された電気信号の極性に応じて接点の開閉状態を変更して保持することができるので、リレー回路における接点の状態を監視すれば、例えば、被検出物が取り外されたこと、その後に被検出物が取り付けられたことを検出することができる。
【００７９】
更に、上記本発明に係る検出装置において、自己発電型スイッチは、被検出物についての機械的変位のうち離脱的な変位に基づく可動部の動作により正負の極性のうち一方の極性の電気信号を出力し、被検出物についての機械的変位のうち復帰的な変位に基づく可動部の動作により正負の極性のうち他方の極性の電気信号を出力し、リレー回路は二つ設けられており、二つのリレー回路のうち一方は、自己発電型スイッチから前記一方の極性の電気信号が送られたときに動作して接点の開閉状態を変更して保持し、その後、自己発電型スイッチから正負いずれの極性の電気信号が送られてきてもその状態をそのまま維持し、二つのリレー回路のうち他方は、自己発電型スイッチから前記他方の極性の電気信号が送られたときに動作して接点の開閉状態を変更して保持し、その後、自己発電型スイッチから正負いずれの極性の電気信号が送られてきてもその状態をそのまま維持するように構成してもよい。これにより、二つのリレー回路のうちの一方は、自己発電型スイッチから例えば正の極性の電気信号を最初に受けたときに接点の状態を例えば開状態から閉状態に変更して保持し、二つのリレー回路のうちの他方は、自己発電型スイッチから負の極性の電気信号を最初に受けたときに接点の状態を開状態から閉状態に変更して保持することができるので、被検出物が機械的に変位すると、その変位の痕跡を二つのリレー回路における接点の状態として残しておくことができる。このため、例えば脱着可能な被検出物については、二つのリレー回路における接点の状態に基づいて、被検出物が一度も脱着されていないか、被検出物が取り外されているか、それとも被検出物が取り外された後に装着されたのかを判断することができる。
【００８０】
また、上記の各実施形態では、自己発電型スイッチが電磁誘導を利用して発電するものである場合について説明したが、本発明はこれに限定されるものではなく、自己発電型スイッチは、機械的変位に基づいて発電することができものであれば、例えば、圧電効果を利用して発電するものであってもよい。
【００８１】
更に、上記の各実施形態では、自己発電型スイッチはオン状態からオフ状態に切り替わるときに正の極性の電気信号を出力し、オフ状態からオン状態に切り替わるときに負の極性の電気信号を出力する場合について説明したが、本発明はこれに限定されるものではなく、自己発電型スイッチはオン状態からオフ状態に切り替わるときに負の極性の電気信号を出力し、オフ状態からオン状態に切り替わるときに正の極性の電気信号を出力するものであってもよい。
【産業上の利用可能性】
【００８２】
以上説明したように、本発明に係る検出装置によれば、外部電源の電力が供給されていない電源遮断時においても被検出物の脱着、開閉等を検出することができる。また、本発明に係る遊技機によれば、外部電源の電力が供給されていない電源遮断時における不正行為のおそれを監視することができるので、セキュリティの向上を図ることができる。したがって、本発明は、特に、パチンコ遊技機や回胴式遊技機等の各種の遊技機に用いるのに適している。
【符号の説明】
【００８３】
１  機枠
２  扉
１１  回胴回転装置
１１ａ，１１ｂ，１１ｃ  回胴
１２  表示窓
１３  メダル投入口
１４  貯留メダル投入ボタン
１５  貯留メダル枚数表示部
１６  始動スイッチ
１７ａ，１７ｂ，１７ｃ  停止ボタン
１８ａ，１８ｂ，１８ｃ  ストップ可能ランプ
１９  貯留メダル清算ボタン
２１  払出メダル枚数表示部
２２  メダル払出口
２３  メダル受け皿
２４  メダル補給用穴
２５  ホッパーバケット
２６  メダル排出装置
２７  払出制御基板
２８  スピーカ
２９  ランプ
３０  電源部
４１  扉開放検出センサ
４２  設定キースイッチ操作検出センサ
４３  投入メダル検出センサ
４４  ホッパーモータ駆動検出センサ
４５  電源ＯＮ検出センサ
５１  扉開閉検出センサ
５２  主制御基板脱着検出センサ
５００  自己発電型スイッチ
５０１  本体部
５０２  押しボタン
６０  主制御基板
６１  ＲＯＭ
６２  ＲＡＭ
６３  ＣＰＵ
７０，７００  副制御基板
７１０  ＲＯＭ
７２０  ＲＡＭ
７３０  ＣＰＵ
７４０  スピーカ駆動回路
７５０  第一リレー回路
７５１  一巻ラッチングリレー
７５２  ダイオード
７６０  第二リレー回路
７６１  一巻ラッチングリレー
７６２  ダイオード
８０，８００  外部端子板
８１，８２  リレー回路
２００  外部管理装置
【図１】
2015023961.tif 000003
【図２】
2015023961.tif 000004
【図３】
2015023961.tif 000005
【図４】
2015023961.tif 000006
【図５】
2015023961.tif 000007
【図６】
2015023961.tif 000008
【図７】
2015023961.tif 000009
【図８】
2015023961.tif 000010